(57)【要約】【課題】最終目的である水切り用として使用する前に、手提げ袋、レジ袋として使用することができる水切り袋を提供する。【解決手段】水切り袋１は、不織布シート２の両サイドの端を重ねてヒートシールした筒状のものを四つ折りに畳んだ状態で（Ａ）、長さ方向の両端をヒートシールによって止着した後（Ｂ）、一方の止着端３について４層のシートを中央所定範囲に渡って打ち抜くことにより（Ｃ）、この打ち抜かれた部分４が、四つ折り状態のガゼット袋の幅の１／２以上でしかも打ち抜かれていない部分５の長さよりも短いものとして製造される（Ｄ）。【選択図】  図１
0003125845.tif 000002
【実用新案登録請求の範囲】
【請求項１】
不織布で製造され、以下の構成を備えることを特徴とする水切り袋。
（１−１）  筒状に閉じて四つ折りに畳まれた状態で両端をヒートシールによって止着された不織布製のガゼット袋であること。
（１−２）  前記ガゼット袋の前記止着された端部の内の一方について、前記四つ折りに畳むことによって重なっている４層のシートが、中央所定範囲に渡って打ち抜かれていること。
（１−３）  前記打ち抜かれた部分が、前記一方の端部から他方の端部に向かって、少なくとも、前記四つ折り状態のガゼット袋の幅の１／２以上の長さに渡っていること。
【請求項２】
さらに、以下の構成をも備えていることを特徴とする請求項１記載の水切り袋。
（２−１）  前記打ち抜かれた部分の長さが、打ち抜かれていない部分の長さよりも短いこと。
【請求項３】
さらに、以下の構成をも備えていることを特徴とする請求項１又は２記載の水切り袋。
（３−１）  前記不織布シートが、ポリエステル繊維の芯をポリエチレンで被覆した芯鞘構造の繊維を素材とする合成繊維不織布であること。
【考案の詳細な説明】
【技術分野】
【０００１】
本考案は、流しの三角コーナーやストレーナーに装着して使用する水切り袋に関するものである。
【背景技術】
【０００２】
従来、例えば、図２（Ａ），（Ｂ）に示す様に、不織布を用いた水切り袋が知られている（特許文献１，２）。
【特許文献１】特開平８−１５７００２
【特許文献２】特開２００４−１８９４０５
【考案の開示】
【考案が解決しようとする課題】
【０００３】
一方、近年、コンビニエンスストアやスーパーマーケットなどで、商品購入時に店から無料で与えられるレジ袋について、環境保護を重視する観点から削減が図られ、日本でも有料化の動きがある。
【０００４】
本考案は、こうした環境保護の観点から、これまで使い捨てとしてしか着目されていなかった水切り袋を、有効に活用できる様にして、少なくとも２回以上使用してから捨てることで、環境保護に寄与することを目的とする。
【課題を解決するための手段】
【０００５】
上記目的を達成するためになされた本考案の水切り袋は、不織布で製造され、以下の構成を備える。
（１−１）  筒状に閉じて四つ折りに畳まれた状態で両端をヒートシールによって止着された不織布製のガゼット袋であること。
（１−２）  前記ガゼット袋の前記止着された端部の内の一方について、前記四つ折りに畳むことによって重なっている４層のシートが、中央所定範囲に渡って打ち抜かれていること。
（１−３）  前記打ち抜かれた部分が、前記一方の端部から他方の端部に向かって、少なくとも、前記四つ折り状態のガゼット袋の幅の１／２以上の長さに渡っていること。
【０００６】
（１−１）〜（１−３）の構成を備えた本考案の水切り袋によれば、購入した者は、水切り袋として三角コーナーやストレーナーに装着して使用する前に、打ち抜き部分の周囲の部分を持ち手とする手提げ袋として使用することができる。この際（１−２）の構成により、打ち抜いた部分の両サイドは、４層のシートが総て打ち抜かれる結果、手を装入できる輪となり、しかも、（１−３）の構成から、手提げとして使用する場合に手で持ったり腕に掛けたりすることのできる長さを備える。こうして何回か手提げ袋として使用した後に、三角コーナーやストレーナーに装着して台所の生ゴミ収納用の水切り袋として使用することができる。そして、水切り袋としての使命を終えた後は、手提げ袋として使用した際の持ち手の部分を使って縛ることで、中に収容した生ゴミがこぼれない様にして捨てることができる。また、素材が不織布で通気性を有することから、例えば、コンビニエンスストアやスーパーマーケットで暖かい弁当や惣菜などを購入した際に、熱気が袋内にこもって結露するといった問題も発生しない。従って、有料レジ袋として使用するとしたとき、最後に水切り袋とすることができるだけでなく、暖かい弁当や惣菜などを購入したときにさらに紙袋などに包む必要がなく、従来のレジ袋では達成できなかった高機能を達成するものとなる。
【０００７】
ここで、本考案の水切り袋は、さらに、以下の構成をも備えるとよい。
（２−１）  前記打ち抜かれた部分の長さが、打ち抜かれていない部分の長さよりも短いこと。
【０００８】
（２−１）の構成をも備えた本考案の水切り袋によれば、手提げ袋として使用する際の持ち手の部分が、水切り袋として使用する際に三角コーナーから長く垂れ下がって邪魔になることがなく、その一方、手に持ったり、最後に捨てる際に縛るのに十分な長さを有する。
【０００９】
また、本考案の水切り袋は、さらに、以下の構成をも備えるとよい。
（３−１）  前記不織布シートが、ポリエステル繊維の芯をポリエチレンで被覆した芯鞘構造の繊維を素材とする合成繊維不織布であること。
【００１０】
（３−１）の構成をも備えた本考案の水切り袋によれば、不織布シートを構成する芯鞘構造の繊維の被覆素材であるポリエチレンはヒートシールによる高い融着強度を発揮し、芯に用いるポリエステル繊維は引っ張り強度が高いことから、水切り袋では余り必要とされなかった強度を有し、手提げ袋、レジ袋として使用した場合に、収容した物品の重量に十分に耐えることができ、従来のレジ袋に劣らぬ強度を発揮することができる。
【考案の効果】
【００１１】
本考案によれば、水切り袋が、最終目的である水切り袋として使用する前に、手提げ袋、レジ袋として使用することができ、しかも、不織布の風合いは繰り返し使用するに耐える美観を有し、最後に捨てる際にも口を縛ることができるので、従来の水切り袋にはない機能を発揮すると共に、環境保護に大きく寄与することができる。
【考案を実施するための最良の形態】
【００１２】
以下、本考案の実施の形態を、図面を参照しながら、具体的に説明する。図１に示す様に、実施形態の水切り袋１は、不織布シート２の両サイドの端を重ねてヒートシールした筒状のものを四つ折りに畳んだ状態で（Ａ）、長さ方向の両端をヒートシールによって止着した後（Ｂ）、一つずつに切断し（Ｃ）、一方の止着端３について４層のシートを中央所定範囲に渡って打ち抜くことにより、この打ち抜かれた部分４が、四つ折り状態のガゼット袋の幅の１／２以上でしかも打ち抜かれていない部分５の長さよりも短いものとして製造される（Ｄ）。
【００１３】
ここで、素材として用いる不織布シートは、ポリエステル繊維の芯をポリエチレンで被覆した芯鞘構造の繊維を素材とするスパンボンド不織布である。
【００１４】
実施形態の水切り袋１は、図１（Ｄ）に示す様に、打ち抜いた部分４の周囲の部分６は、４層のシートが総て打ち抜かれる結果、手を装入できる輪となる。この結果、実施形態の水切り袋１を購入した者は、水切り袋として三角コーナーやストレーナーに装着して使用する前に、打ち抜き部分の周囲の部分６を持ち手とする手提げ袋として使用することができる。また、何回か手提げ袋として使用した後に、三角コーナーやストレーナーに装着して台所の生ゴミ収納用の水切り袋として本来の目的に使用することができる。
【００１５】
そして、水切り袋としての使命を終えた後は、手提げ袋として使用した際の持ち手の部分７を使って縛ることで、中に収容した生ゴミがこぼれない様にして捨てることができる。
【００１６】
実施形態の水切り袋１は、上述の様な芯鞘構造の繊維を用いたスパンボンド不織布なので、ヒートシールによる高い融着強度を発揮すると共に、手提げ袋として使用する場合の収容物の重量に耐え得る引っ張り強度を有する。また、手提げ袋として使用して、暖かい弁当や惣菜などを収容した場合、不織布の通気性から袋内に熱気がこもらない。
【００１７】
以上の様に、環境保護問題を受けて、今後、レジ袋が有料化された場合に、当該有料のレジ袋として本実施形態の水切り袋１を採用すれば、レジ袋は従来にない通気性や見た目の風合いの良さという機能を備え、従って、１回限りの使用ではなく、何回もの使用に耐え、しかも、最後は、そのまま、本来の目的である水切り袋としても使用することができる結果、有料であるなりの利用価値を発揮し、さらには、従来の水切り袋にはなかった最後に捨てる際の口を縛る機能をも備えた画期的なものとなる。
【００１８】
また、素材として上述の通りのものを使用するので、実施形態の水切り袋１は、燃えるゴミとして処理されたときにダイオキシン発生といった問題も生じない。
【００１９】
以上、本考案の一実施形態を説明したが、本考案はこれに限らず、その要旨を逸脱しない範囲内で種々に変形して実施できることはもちろんである。
【図面の簡単な説明】
【００２０】
【図１】実施形態の水切り袋及びその製造工程を示す説明図である。
【図２】従来の水切り袋を示す斜視図である。
【符号の説明】
【００２１】
１・・・水切り袋
２・・・不織布シート
３・・・一方の止着端
４・・・打ち抜かれた部分
５・・・打ち抜かれていない部分
６・・・打ち抜き部分の周囲の部分
【図１】
0003125845.tif 000003
【図２】
0003125845.tif 000004